(57)【要約】  【課題】ケーキなどを収納携帯するための把手付き折り畳み箱において、従来方式では持ち運び取り扱い時に係止板と把手が外れないように係止孔と把手凸部高さをきちきちにすれば、蓋閉め時係止板に把手端を挿通係止しずらく、蓋開け時も開けにくく、逆に閉めやすく開けやすくすれば係止板から把手が、外れては困る携帯取り扱い時外れやすいという裏腹の問題があった。  【解決手段】係止板の把手挿通孔を単なる孔から、扉を持った窓にし、その扉の一部が把手端が挿通された時、把手の端凹部に設けた溝に把手の横位置から係止するようにした。外観は従来の把手行き把手付き折り畳み箱とほぼ同じでありながら、従来同様係止板に把手端を挿通するだけで自然にロックがかかり、携帯取り扱い中に係止板が把手から外れる事もなく、係止板を外側に倒せばロックも解除される。  【選択図】  図８
2007084090.tif 000002
【特許請求の範囲】
【請求項１】
正方形又は長方形の底板と、相対する左右の側壁と前後壁を有し、該前後壁上端には蓋を兼ねた前天板及び後天板を折り曲げ可能に連接し、該前後天板先端にはそれぞれ折り曲げ起伏可能な把手を連接するとともに、左右側壁の先端には、閉蓋時に前後に重ね合わせた起立状態の把手の左右両端部を挿通係止して、把手を左右側壁側に係止固定する舌状の係止板を折り曲げ可能に連接してなる把手付き折り畳み式紙箱において、係止板に、前後に重ね合わせた起立状態の把手の両端部を挿通可能にする左右又は片方に開く扉を有する係止窓を設け、該左右又は片方の扉を上下方向に略半分位で上扉と下扉に分断し、一方、少なくとも係止窓の上扉が付いている側に挿通される把手端部において、把手端部の凹部から係止板折り曲げ支点方向に向けて、本紙箱に使用する紙厚み以上の幅で、かつ上扉の下端までが嵌るに足る長さを持った上扉係止溝を設けた事を特徴とする把手付き折り畳み式紙箱。
【発明の詳細な説明】
【技術分野】
【０００１】
本発明は、ケーキなどを収納携帯する把手付き折り畳み式紙箱に関する。
【背景技術】
【０００２】
従来、箱自体の流通及び保管等の便宜から折り畳み式で携帯用の把手付き紙箱が多く使われてきた。箱を組み立てた状態で把手の両端に形成した凹凸状のフック部に、側壁から連接した係止孔付きの係止板を挿通係止することで、蓋と把手の係止固定を行って箱を組み立てるようにしている（例えば、特許文献１参照）。
【０００３】
この従来方式は、箱を組み立て、蓋と把手の係止固定後の外観もすっきりしており広く採用されているが、係止板と把手の係止固定を確実にするため係止孔と把手端部の凸部の高さは殆ど隙間の無いようにしてあるため、蓋開け時はそれだけで抵抗があり、更に蓋開きする際に、係止孔とフック部との深い係合を把手の押し下げ動作を以て解除しながら、次いで係止板を別の手で把手から外側に外して蓋を開かねばならないという煩わしさを抱えていた。
【０００４】
これに対して、最近では係止板の係止孔上端部に係止片を設け、把手端部の凹凸状フック部が係止板の係止孔を挿通した後、該係止片で係止板と把手を固定する方法が提案されている（特許文献２参照）。
この方法は係止板と把手フック部との係止固定は係止孔上端部に連接された係止片の先端が挿入された把手端部の凸部に引っかかり固定されるため、係止孔と把手端部の凸部との大きさの関係をギリギリにする必要がなく、蓋閉め操作が簡単になった。しかし、係止片が係止板の上部で、把手部に近いため、持ち運びの際に把手部を握った自分の指や、他の物が係止片に接触すると簡単に固定が解除され、解除されると係止孔の上に係止片が設けられているため結果的に係止孔が把手端部の凹凸部の凸部より大きく開いている係止板そのものが把手から外れてしまうという重大問題を有していた。また、係止孔上端部に設けられた係止片が係止板構造を複雑化し、そのため係止板の抜き刃構造を難しくし、外観も従来のシンプル性が失われるという問題点もあった。
【特許文献１】特許第２５４６７８７
【特許文献２】特許第３０４０３９２
【発明の開示】
【発明が解決しようとする課題】
【０００５】
解決しようとしている課題は、把手付き折り畳み式紙箱において、把手端部と係止板との係合が簡単で、従来のこの種把手付き折り畳み箱の欠点であった蓋開きする際に係止孔とフック部との深い係合を把手の押し下げ動作を以て解除しながら、次いで係止板を別の手で把手から外側に対して蓋を開かねばならないという煩わしさを排除し、かつ把手部を握った自分の指や外部からの作用で係止固定が外れにくく、例え外れたとしても簡単に係止板が把手端部から外れるという最悪事態が起こらない把手付き折り畳み式紙箱を提供することにある。
【課題を解決するための手段】
【０００６】
課題解決手段は、正方形又は長方形の底板と、相対する左右の側壁と前後壁を有し、該前後壁上端には蓋を兼ねた前天板及び後天板を折り曲げ可能に連接し、該前後天板先端にはそれぞれ折り曲げ起伏可能な把手を連接するとともに、左右側壁の先端には、閉蓋時に前後に重ね合わせた起立状態の把手の左右両端部を挿通係止して、把手を左右側壁側に係止固定する舌状の係止板を折り曲げ可能に連接してなる把手付き折り畳み式紙箱において、係止板に、前後に重ね合わせた起立状態の把手の両端部を挿通可能にする左右又は片方に開く扉を有する係止窓を設け、該左右又は片方の扉を上下方向に略半分位で上扉と下扉に分断し、一方、少なくとも係止窓の上扉が付いている側に挿通される把手端部において、把手端部の凹部から係止板折り曲げ支点方向に向けて、本紙箱に使用する紙厚み以上の幅で、かつ上扉の下端までが嵌るに足る長さを持った上扉係止溝を設けた把手付き折り畳み式紙箱とする。
【発明の効果】
【０００７】
課題解決手段による作用は次の通りである。閉蓋時、起立状態に合わせた把手の両端部を係止板の係止窓に挿通し、係止板を把手握り部まで押し込むと、自動的に係止窓を構成する上扉が、把手端部の上扉係止溝に係止し、把手両端部が係止板に係止固定される。即ち、従来の把手付き折り畳み式紙箱同様に係止板に把手端を挿通するだけで、係止板と把手端とでロックがかかる事になる。それも、ロックする上扉は把手端を挿通する係止窓の構成要素の一部であり、参考文献２に於ける係止片のような特別の部品ではないため、構造はシンプルであり、把手端部が係止固定されていても外観からは分かりにくいほど単純な仕組みで係止固定されるロックシステムである。
【０００８】
更に、参考文献２に於ける係止片のように、把手部を握った指の近くに係止片がくるため持ち運びや取り扱い時に係止片の把手端部の凸部との引っかかりを謝って解除してしまうという重大ミスを心配する必要が無く、また、係止孔の上に係止片を設けるため、結果的に把手端部を挿通する孔は把手端部の最大高さよりかなり大きくなり、係止片のロックが謝って外れたとき、係止板は把手端部から簡単に外れてしまうのに対して、本発明ではロック機構が把手端部の側面で行われるため、係止孔（窓）の大きさは把手端部の凸部最大高さに限りなく近づけられ、万が一係止窓の上扉が把手端部の上扉係止溝から外れた（ロックが解除された）場合でも、係止板が把手端部から外れてしまうという重大ミスは起こりにくいという効果がある。
【０００９】
また、参考文献２に於けるような目に見える大きな係止片がなく、従来慣れ親しんできた把手付き折り畳み式紙箱と見た目何ら変わることなく違和感がない。従って、抜き型も複雑にならず生産適性も良い。
【発明を実施するための最良の形態】
【００１０】
以下、本発明の実施例を図面に基づいて詳述する。図１は本発明による紙箱の組み立て状態を示す斜視図、図２は同紙箱の開放状態斜視図、図３は同紙箱の展開状態を示す平面図、図４は同紙箱を折り畳み可能にするための接合箇所を示す斜視図、図５は同紙箱の必要箇所が接合された後、折り畳む様子を示した斜視図であり、本実施例の紙箱は図３に示す１枚の台紙１Ａからなる。該台紙１Ａは長方形又は正方形の底板１と、底板１の前後側縁に折り目２０、２１を介して連結する前後側壁２、５と、前後側壁２、５の先端には折り目２２、２３を介して連結する蓋を兼ねた前後天板６、７と、前後天板６、７の先端には折り目２４、２５を介して連結する把手８、９があり、後側壁２の左右端には折り目２６、２７を介して連結する左右側壁３、４と、側壁３、４の側端には折り目２８、２９を介して連結するサイドフラップ１４、１５と、側壁３、４の上端には折り目３０、３１を介して連結する係止片１０、１２と、側壁３、４の下端には折り目３２、３３を介して連結する底フラップ１６、１７と、底フラップ１６、１７には折り目３４、３５を介して、底板１の裏面と接合させる接合片１８、１９を有する。
【００１１】
図４では、折り目２０で底板１を後壁２側に折り返し、底フラップ１６、１７を左右側壁３、４側に折り目３２，３３を介して折り曲げ、底フラップ１６、１７に連結する接合片１８、１９を底板１の裏面と矢印方向に接合する様子を示す。接合は両面テープ、接着剤など接合片１８、１９と底板１の裏面としっかり固定出来ればよく、方法を選ばない。
図５では、左右側壁３、４を折り畳む様子を示す。この際、サイドフラップ１５は使用時の折り曲げ方向に対して逆方向に折り目２９を介して折り曲げておく。この後、図面は省略するが天板６及び把手９を折り目２３を介して反対方向に折り曲げると、本紙箱の折り畳みが最小面積になり終了する。箱を組み立てる時は、この逆をすればよく、左右側壁３、４を開きながら前壁５、前天板６を手前に引けば、図２の開放状態、即ち組み立て途中の状態になる。図２の開放状態で収納物のケーキ等を入れ、サイドフラップ１４、１５を前壁５の内側に入れ折り目２１を介して立ち上げ、折り目２２、２３を介して前後天板６、７を直角に折り曲げ、折り目２４、２５を介して把手８、９を起立させ重ね合わせる。
【００１２】
係止板１０、１２の中央部には上下方向に、蓋閉め時、前後に重ね合わせた把手８、９の端部を挿通可能にする係止窓１１、１３を有する。該係止窓については係止板１２の係止窓１３をもって図６にて詳述するが、係止板１０の係止窓１１については鏡像になるだけである。図６は図１に於いて側壁４側から見た時の、把手端を挿通直前状態を示したものである。係止窓１３は窓の上から側壁４に向けた窓切り込み１３ｄとその反対側に折り目１３ｃと、窓中央部から切り込み１３ｅで上下に分断された上扉１３ａ、下扉１３ｂからなる。
【００１３】
尚、係止窓１３に於ける折り目１３ｃは無くても良く、折り目を入れるか入れないかは係止窓の幅、本紙箱に使用する台紙１Ａの厚み、剛性により自由に決める事が出来る。また本実施例では係止窓１０、１３の係止扉は片開きであるが、図７に示す如く、扉を観音開きにする事も可能である。
【００１４】
把手８の端部８ａ、８ｂはその谷部には、起立させた把手８、９を重ね合わせ、端部を係止板１０、１２の係止窓１１、１３に挿通させた時、係止窓の上扉１１ａ、１３ａが引っかかり係止固定する事になる上扉係止溝８ｃ、８ｄを有する。係止板１０、１２は折り目３０、３１を支点にして把手８、９端部を係止窓に挿通しながら係止窓より上側部が把手にぶつかるまで押し込まれると、係止窓の上扉１１ａ、１３ａが上扉係止溝に落ち込み嵌るようになっている。図８は把手８、９を重ね合わせ、重なった端部８ｂ、９ｂを係止板１２の係止窓１３に挿通しようとしている様子を示す。把手端部８ｂ、９ｂ先端部が係止窓１３の係止扉１３ａ、１３ｂを押し広げた状況を示している。図９は係止板１２を把手にぶつかるまで押し込み、把手端部８ｂ、９ｂは係止窓１３に凹部まで挿通し、係止窓１３の上扉１３ａが把手端部８ｂの凹部にある上扉係止溝８ｄに落ち込み嵌っている様を示している。係止板１０、１２は折り目３０、３１を支点として動くため、把手端凹部の上扉係止溝はこの係止板の可動半径上又は延長線上にないと上扉が該溝にぴったりと係止固定する事が出来ない。
【００１５】
本実施例では把手端部の上扉係止溝（８ｃ、８ｄ）は片方の把手（８）にしか設けなかったが上扉係止溝は両方の把手端部に設けても良い。また係止板の係止窓が片開き、両開き（観音開き）とも組み合わせて用いる事が出来る。
【００１６】
本実施例による紙箱は、従来の最も多く使われてきた把手付き組み立て箱と同じ感覚で把手端部を係止板の係止窓に挿通すれば、オートロック感覚で係止板と把手が係止固定され、開蓋する時は、係止板を外側に押せば係止固定が解除され、これらを意識することなく係止固定、解除がスムースに行われる。また係止固定している状態で本実施例の紙箱の携帯等を行っても係止板が外れる事はなく、また万が一に係止上扉が上扉係止溝から外れても、係止窓は把手端部の凸部と高さをそろえる事が出来るため、係止板が把手端部から外れるという重大事故は起こり得ないようになっている。
【００１７】
本発明は把手付き折り畳み式紙箱に於ける把手部係止方法に関する発明であり、これ以外の箱の折り畳み方式の種類を制限する物で無いことは明らかである。      
【図面の簡単な説明】
【００１８】
【図１】組み立て完了状態を示す斜視図
【図２】開放状態を示す斜視図
【図３】展開状態を示す斜視図
【図４】接合箇所を示す斜視図
【図５】折り畳み途中を示す斜視図
【図６】片開き係止窓の係止板を示す正面図
【図７】両開き係止窓の係止板を示す正面図
【図８】片開き係止窓に把手先端が挿通始めた様子を示す斜視図
【図９】片開き係止窓に把手端が完全に挿通され上扉が係止溝に係止している様子を            示す斜視図
【符号の説明】
【００１９】
１Ａ            台紙
１              底板
２、５          前後壁
３、４          側壁
６、７          前後天板
１０、１２      係止板
８、９          把手
８ａ、８ｂ      把手端部
９ａ、９ｂ      把手端部
１６、１７      底フラップ
１８、１９      接合片
１１、１３      係止窓
１１ａ、１３ａ  上扉
１１ｂ、１３b   下扉
８ｂ、８ｃ      上扉係止溝    
【図１】
2007084090.tif 000003
【図２】
2007084090.tif 000004
【図３】
2007084090.tif 000005
【図４】
2007084090.tif 000006
【図５】
2007084090.tif 000007
【図６】
2007084090.tif 000008
【図７】
2007084090.tif 000009
【図８】
2007084090.tif 000010
【図９】
2007084090.tif 000011